(57)【要約】      （修正有）【課題】光学フィルムを有するバックライトモジュールを提供する。【解決手段】バックライトモジュールＢは、フレーム１００と、導光板３００と、光学フィルム群４００と、少なくとも一つの第１貼付部材５００と、少なくとも一つの位置決め部材７００と、パネル貼付部材８００とを含む。フレーム１００は、底板と、側板と、少なくとも一つの第１頂板開口部１１１を有する頂板とを有する。導光板３００と光学フィルム群４００は、底板と頂板との間に設けられ、且つ光学フィルム群４００は、第１頂板開口部１１１に対応する少なくとも一つの第１フィルム開口部を有する。位置決め部材７００は、第１フィルム開口部と側板とにより形成された第１フィルム凹溝に設けられている。パネル貼付部材８００は頂板に貼り付けられ、第１頂板開口部１１１をカバーする。【選択図】図３Ａ
0003206210.tif 000002
【実用新案登録請求の範囲】
【請求項１】
底板と、側板と、少なくとも一つの第１頂板開口部を有する頂板とを有するフレームと、
前記底板と前記頂板との間に設けられている導光板と、
前記導光板と前記頂板との間に設けられ、前記第１頂板開口部に対応する少なくとも一つの第１フィルム開口部を有する光学フィルム群と、
前記少なくとも一つの第１フィルム開口部と前記側板とにより形成された少なくとも一つの第１フィルム凹溝に設けられている少なくとも一つの位置決め部材と、
前記頂板に貼り付けられ、前記第１頂板開口部をカバーするパネル貼付部材と、
を含むバックライトモジュール。
【請求項２】
前記光学フィルム群は、複数の光学フィルムを含む、
請求項１に記載のバックライトモジュール。
【請求項３】
前記第１フィルム開口部は、前記複数の光学フィルムの全体に同じ幅の開口を設けることにより形成されたものである、
請求項２に記載のバックライトモジュール。
【請求項４】
前記第１フィルム開口部の幅は、前記第１頂板開口部の幅以下である、
請求項１〜３のいずれか１項に記載のバックライトモジュール。
【請求項５】
前記位置決め部材と前記パネル貼付部材との間に設けられている少なくとも一つの第１貼付部材を更に含む、
請求項１に記載のバックライトモジュール。
【請求項６】
前記第１貼付部材の長さは、前記第１頂板開口部の幅以下である、
請求項５に記載のバックライトモジュール。
【請求項７】
前記底板と前記導光板との間に設けられている反射シートを更に含む、
請求項１〜６のいずれか１項に記載のバックライトモジュール。
【請求項８】
請求項１〜７のいずれか１項に記載のバックライトモジュールと、
前記パネル貼付部材に貼り付けられている表示パネルと、
を含む表示装置。
【請求項９】
底板と、側板と、少なくとも一つの第２頂板開口部を有する頂板とを有するフレームと、
前記底板と前記頂板との間に設けられる導光板と、
前記導光板と前記頂板との間に設けられ、前記第２頂板開口部に対応する少なくとも一つの第２フィルム開口部を有する光学フィルム群と、
前記少なくとも一つの第２フィルム開口部と前記側板とにより形成された少なくとも一つの第２フィルム凹溝に設けられている少なくとも一つの第２貼付部材と、
前記頂板に貼り付けられ、前記第２頂板開口部をカバーするパネル貼付部材と、
を含む、バックライトモジュール。
【請求項１０】
前記光学フィルム群は、複数の光学フィルムを含む、
請求項９に記載のバックライトモジュール。
【請求項１１】
前記第２フィルム開口部は、前記光学フィルム群において、導光板に接触する光学フィルムが開口を有さず、他の光学フィルムの全体が同じ幅の開口を有するように形成されたものである、
請求項１０に記載のバックライトモジュール。
【請求項１２】
前記第２フィルム開口部の幅は、前記第２頂板開口部の幅以下である、
請求項９に記載のバックライトモジュール。
【請求項１３】
第２貼付部材の長さは、前記第２頂板開口部の幅以下である、
請求項９〜１２のいずれか１項に記載のバックライトモジュール。
【請求項１４】
前記底板と前記導光板との間に設けられている反射シートを更に含む、
請求項９〜１３のいずれか１項に記載のバックライトモジュール。
【請求項１５】
請求項９〜１４のいずれか１項に記載のバックライトモジュールと、
前記パネル貼付部材に貼り付けられている表示パネルと、
を含む表示装置。
【考案の詳細な説明】
【技術分野】
【０００１】
本考案はバックライトモジュールに関する。より詳しく言うと、本考案は光学フィルムを有するバックライトモジュールに関する。
【背景技術】
【０００２】
バックライトモジュール（Ｂａｃｋｌｉｇｈｔ  Ｍｏｄｕｌｅ、ＢＬＭ）は、表示装置の重要な部材の一つである。表示装置において、表示パネル（例えば、液晶表示パネル）自体は発光できないため、バックライトモジュールの発光源によって光線を投射し、表示の機能を達しなければならない。
【０００３】
一般的に、バックライトモジュールは光学フィルムを含み、且つこの光学フィルムは通常、その側辺に穴を有する耳部を利用して固定しぶら下がっている。しかしながら、上述の耳部は、誤差が原因で取り付けられないことが多く、且つバックライトモジュールの側辺の幅を増加させてしまうため、製品の狭額縁化に不利である。
【考案の概要】
【０００４】
上記の周知の課題を解決するために、本考案はバックライトモジュールを提供し、当該バックライトモジュールは、フレームと、導光板と、光学フィルム群と、少なくとも一つの第１貼付部材と、少なくとも一つの位置決め部材と、パネル貼付部材とを含む。フレームは、底板と、側板と、少なくとも一つの第１頂板開口部を有する頂板とを有する。導光板と光学フィルム群は、底板と頂板との間に設けられ、且つ光学フィルム群は、第１頂板開口部に対応する少なくとも一つの第１フィルム開口部を有する。位置決め部材は、第１フィルム開口部と側板とにより形成された第１フィルム凹溝に設けられている。パネル貼付部材は頂板に貼り付けられ、第１頂板開口部をカバーする。
【０００５】
本考案の実施例において、前記光学フィルム群は、複数の光学フィルムを含む。
【０００６】
本考案の実施例において、前記第１フィルム開口部は、複数の光学フィルムの全体に同じ幅の開口を設けることにより形成されたものである。
【０００７】
本考案の実施例において、前記第１フィルム開口部の幅は、第１頂板開口部の幅以下である。
【０００８】
本考案の実施例において、位置決め部材とパネル貼付部材との間に設けられている少なくとも一つの第１貼付部材を更に含む。
【０００９】
本考案の実施例において、前記第１貼付部材の長さは、第１頂板開口部の幅以下である。
【００１０】
本考案の実施例において、底板と導光板との間に設けられている反射シートを更に含む。
【００１１】
本考案は、フレームと、導光板と、光学フィルム群と、少なくとも一つの第２貼付部材と、パネル貼付部材とを含むバックライトモジュールを更に提供する。フレームは、底板と、側板と、少なくとも一つの第２頂板開口部を有する頂板とを有する。導光板と光学フィルム群は、底板と頂板との間に設けられ、且つ光学フィルム群は、第２頂板開口部に対応する少なくとも一つの第２フィルム開口部を有する。第２貼付部材は、第２フィルム開口部と側板とにより形成された第２フィルム凹溝に設けられている。パネル貼付部材は頂板に貼り付けられ、第２頂板開口部をカバーする。
【００１２】
本考案の実施例において、前記光学フィルム群は、複数の光学フィルムを含む。
【００１３】
本考案の実施例において、前記第２フィルム開口部は、前記光学フィルム群において、導光板に接触する光学フィルムが開口を有さず、他の光学フィルムの全体が同じ幅の開口を有するように形成されたものである。
【００１４】
本考案の実施例において、前記第２フィルム開口部の幅は、第２頂板開口部の幅以下である。
【００１５】
本考案の実施例において、第２貼付部材の長さは、前記第２頂板開口部の幅以下である。
【００１６】
本考案の実施例において、底板と導光板との間に設けられている反射シートを更に含む。
【００１７】
本考案の実施例は、前記バックライトモジュールと、パネル貼付部材に貼り付けられている表示パネルとを含む表示装置を更に提供する。
【図面の簡単な説明】
【００１８】
【図１Ａ】図１Ａは、本考案の実施例に係るバックライトモジュールの概略図である。
【図１Ｂ】図１Ｂは、本考案の実施例に係るバックライトモジュールの正面図である。
【図２】図２は、図１Ａに示すバックライトモジュールの分解図である。
【図３Ａ】図３Ａは、図１Ａに示すバックライトモジュールを他の角度からみた場合の分解図である。
【図３Ｂ】図３Ｂは、図１Ｂにおいてｘ−ｘ方向に沿う断面図である。
【図４Ａ】図４Ａは、本考案の実施例に係る第１フィルム凹溝の概略図である。
【図４Ｂ】図４Ｂは、本考案の実施例における位置決め部材が第１フィルム凹溝に配置された場合の概略図である。
【図４Ｃ】図４Ｃは、本考案の実施例における第１貼付部材が第１頂板開口部に配置された場合の概略図である。
【図４Ｄ】図４Ｄは、本考案の実施例におけるパネル貼付部材が第１頂板開口部をカバーする場合の概略図である。
【図５Ａ】図５Ａは、図１Ａに示すバックライトモジュールを他の角度からみた場合の分解図である。
【図５Ｂ】図５Ｂは、図１Ｂにおいてｙ−ｙ方向に沿う断面図である。
【図６Ａ】図６Ａは、本考案の実施例に係る第２フィルム凹溝の概略図である。
【図６Ｂ】図６Ｂは、本考案の実施例における第２貼付部材が第２フィルム凹溝に配置された場合の概略図である。
【図６Ｃ】図６Ｃは、本考案の実施例におけるパネル貼付部材が第２頂板開口部をカバーする場合の概略図である。
【図７】図７は、本考案の実施例に係る表示装置の概略図である。
【考案を実施するための形態】
【００１９】
以下、本考案の実施例に係るバックライトモジュール及び表示装置について説明する。しかしながら、本考案の実施例では、幾つかの適正な考案の概念を提供しており、これらは各種の幅広い特定の背景において実施できるようになされていることは簡単に理解できる。以下に示される特定の実施例は、特定の方法により本考案を実施することを説明するためのものだけであり、本考案の技術的範囲を限定するものではない。
【００２０】
別途で定義しない限り、以下において使用される全ての用語（技術及び科学用語を含む）は、当業者によって通常理解される意味と同じである。特別に定義しない限り、これらの用語、例えば通常使用される辞書で定義されている用語は、関連技術及び本考案の背景又は前後文と一致する意味を有していると解釈すべきであり、理想化又は必要以上に正式的な方式により解釈してはならないことは理解すべきである。
【００２１】
図１Ａ、図１Ｂ、図２に示すように、本考案の実施例に係るバックライトモジュールＢは主に、フレーム１００と、反射シート２００と、導光板３００と、光学フィルム群４００と、少なくとも一つの第１貼付部材５００と、少なくとも一つの第２貼付部材６００と、少なくとも一つの位置決め部材７００と、パネル貼付部材８００とを含む。第１貼付部材５００と位置決め部材７００とは、同じ数量を有し、且つ反射シート２００と、導光板３００と、光学フィルム群４００とは、フレーム１００に配置され、導光板３００は反射シート２００と光学フィルム群４００との間に位置されている。また、上述の光学フィルム群４００は、複数の光学フィルムを含むことができ、その数量は実際規格のニーズによって定められる。
【００２２】
図３Ａは、バックライトモジュールＢの分解図において第１側ｓ１に近い部分の概略図であり、図３Ｂは、図１Ｂに示すバックライトモジュールＢのｘ−ｘ方向に沿う断面図である。図３Ａ、図３Ｂに示すように、フレーム１００は頂板１１０と底板１２０を有し、反射シート２００、導光板３００及び光学フィルム群４００は、頂板１１０と底板１２０との間に設けられ、且つ反射シート２００は導光板３００と底板１２０との間に設けられている。頂板１１０には少なくとも一つの第１頂板開口部１１１が形成されている。
【００２３】
本実施例において、光学フィルム群４００の四つの光学フィルムには何れも開口Ｏ１が形成されている。これらの開口Ｏ１は、幅が同じであり、且つ位置が第１頂板開口部１１１に対応しており、光学フィルム群４００において第１フィルム開口部４１０を形成している。注意すべきことは、位置決め部材７００の組立及び光学フィルム群４００の位置決めを容易に行うように、第１フィルム開口部４１０の幅を第１頂板開口部１１１の幅以下にすべきことである。
【００２４】
位置決め部材７００は第１フィルム開口部４１０に配置され、第１貼付部材５００は第１頂板開口部１１１に配置され、且つパネル貼付部材８００と位置決め部材７００とはそれぞれ第１貼付部材５００の互いに反対する側に貼り付けられている。なお、本実施例において、位置決め部材７００は粘性を有しない離型フィルムであり、且つ位置決め部材７００が第１フィルム開口部４１０に配置された場合、位置決め部材７００が第１フィルム開口部４１０の内壁と導光板３００の表面３１０に当接するため、光学フィルム群４００の位置決めを行うことができる。第１貼付部材５００とパネル貼付部材８００は少なくとも上面と下面に粘性を有する両面接着テープ（ｃｅｌｌ  ｔａｐｅ）である。このため、パネル貼付部材８００はフレーム１００の頂板１１０に貼り付けられることができ、反対側には他の部材（例えば、図７に示す表示パネルＤ）が貼り付けられる。また、光学フィルム群４００を固定するため、本実施例における第１貼付部材５００には光学フィルム群４００が更に貼り付けられることができる。
【００２５】
以下、図４Ａ〜４Ｄを参照して、第１貼付部材５００、位置決め部材７００及びパネル貼付部材８００の組立ステップを説明する。図４Ａに示すように、反射シート２００、導光板３００及び光学フィルム群４００がフレーム１００に設けられている場合、第１フィルム開口部４１０は頂板１１０の第１頂板開口部１１１に対応して、フレーム１００の側板１３０とともに第１フィルム凹溝Ｒ１を形成する。続いて、図４Ｂに示すように、位置決め部材７００を第１フィルム凹溝Ｒ１に挿入して、光学フィルム群４００を位置決めする。
【００２６】
図４Ｃに示すように、続いて第１貼付部材５００を第１頂板開口部１１１に設置して、位置決め部材７００と光学フィルム群４００を貼り付ける。最後は、図４Ｄに示すように、パネル貼付部材８００は頂板１１０と第１貼付部材５００に貼り付けられ、第１頂板開口部１１１をカバーする。
【００２７】
本実施例において、第１貼付部材５００が第１頂板開口部１１１に配置されている場合、第１貼付部材５００の頂面は頂板１１０に揃えているため、パネル貼付部材８００の貼付に有利である。また、第１貼付部材５００の長さは、第１頂板開口部１１１の幅以下にすべきである。
【００２８】
幾つかの実施例において、バックライトモジュールＢの厚さが比較的に小さい場合、第１貼付部材５００を省略でき、即ち、位置決め部材７００は第１頂板開口部１１１を直接に貫通して、パネル貼付部材８００に貼り付けられる。幾つかの実施例において、第１貼付部材５００と、位置決め部材７００と、パネル貼付部材８００とは一体的に成型できるため、組立ステップが更にシンプルになる。
【００２９】
続いて、図５Ａ、図５Ｂを参照する。図５ＡはバックライトモジュールＢの分解図において第２側ｓ２に近い部分の概略図であり、図５Ｂは図１Ｂに示すバックライトモジュールＢのｙ−ｙ方向に沿う断面図である。ここで、第２側ｓ２は、第１側ｓ１の反対側に位置する。
【００３０】
頂板１１０には少なくとも一つの第２頂板開口部１１２が形成され、且つ光学フィルム群４００には、最下方の導光板３００に接触する光学フィルム以外に何れも開口Ｏ２が形成されている。これらの開口Ｏ２は幅が同じであり、且つ位置が第２頂板開口部１１２に対応しているため、光学フィルム群４００において第２フィルム開口部４２０が形成される。注意すべきことは、第２貼付部材６００の組立及び光学フィルム群４００の位置決めを容易に行うように、第２フィルム開口部４２０の幅を第２頂板開口部１１２の幅以下にすべきことである。
【００３１】
第２貼付部材６００は第２フィルム開口部４２０に設けられて第２頂板開口部１１２を貫通し、且つ第２貼付部材６００も少なくとも上面と下面に粘性を有する両面接着テープであり、両側にはそれぞれパネル貼付部材８００及び上述の最下方の光学フィルムが貼り付けられ、光学フィルム群４００を固定する。
【００３２】
以下、図６Ａ〜６Ｃを参照して、第２貼付部材６００とパネル貼付部材８００の組立ステップを説明する。図６Ａに示すように、反射シート２００と、導光板３００と、光学フィルム群４００とがフレーム１００に設けられている場合、第２フィルム開口部４２０は頂板１１０の第２頂板開口部１１２に対応して、フレーム１００の側板１３０とともに第２フィルム凹溝Ｒ２を形成する。続いて、図６Ｂに示すように、第２貼付部材６００を第２フィルム凹溝Ｒ２に挿入して、第２貼付部材６００と光学フィルム群４００の最下方の光学フィルム（即ち、導光板３００に接触する光学フィルム）を貼り付ける。最後は、図６Ｃに示すように、パネル貼付部材８００は頂板１１０と第２貼付部材６００に貼り付けられ、第２頂板開口部１１２をカバーする。
【００３３】
本実施例において、第２貼付部材６００が第２フィルム凹溝Ｒ２に設けられている場合、第２貼付部材６００の頂面は頂板１１０に揃えているため、パネル貼付部材８００の貼付に有利である。また、第２貼付部材６００の長さは、第２頂板開口部１１２の幅以下にすべきである。
【００３４】
幾つかの実施例において、第２貼付部材６００とパネル貼付部材８００は一体的に成型できるため、組立ステップが更にシンプルになる。
【００３５】
上述のバックライトモジュールＢに位置する第１側ｓ１と第２側ｓ２の貼付構造によれば、組立時の労働時間と材料コストを低減でき、製品の良品率を向上させると共に、バックライトモジュールＢの縁幅及び全体の厚さを減少させて、製品を更に軽量化できる。
【００３６】
また、本実施例において第１貼付部材５００を有する貼付構造と第２貼付部材６００を有する貼付構造はそれぞれバックライトモジュールＢの第１側ｓ１と第２側ｓ２に設けられているが、幾つかの実施例において、第１貼付部材５００を有する貼付構造のみを使用しても良いし、第２貼付部材６００を有する貼付構造のみを使用しても良く、且つその位置はユーザのニーズによって調整できる。
【００３７】
また、図７を参照すると、本考案の実施例に係る表示装置は上述のいずれかの実施例におけるバックライトモジュールＢと表示パネルＤを含むことができ、表示パネルＤは、パネル貼付部材８００に貼り付けられている。
【００３８】
上記から分かるように、本考案はバックライトモジュールと当該バックライトモジュールを有する表示装置を提供し、第１貼付部材、第２貼付部材、位置決め部材、パネル貼付部材、フレームにおける第１頂板開口部、第２頂板開口部、及び光学フィルム群の第１フィルム開口部、第２フィルム開口部の組合せによって、バックライトモジュールの組立をシンプルにし、製品の良品率を向上させて、製品の狭額縁化と軽量化の効果を達している。
【００３９】
本考案の実施例及びその利点は既に上記のように説明されているが、当業者であれば、本考案の要旨と技術的範囲を超えない範囲内で変更、切替及び修飾を行うことができることは理解されるべきである。また、本考案の保護範囲は、明細書に記載される特定の実施例におけるプロセス、機器、製造、物質組成、装置、方法及びステップに制限されず、当業者であれば、本考案で示される内容から現在又は将来発展されるプロセス、機器、製造、物質組成、装置、方法及びステップを理解でき、ここで説明する実施例とほぼ同じ機能又はほぼ同じ結果を実現できれば、本考案に基づいて使用できる。従って、本考案の保護範囲は上記プロセス、機器、製造、物質組成、装置、方法及びステップを含む。また、各クレームは個別の実施例を構成し、且つ本考案の保護範囲も各クレーム及び実施例の組合せを含む。
【００４０】
本考案は複数の好ましい実施例により上記のように示されているが、本考案を限定するものではない。当業者は、本考案の要旨と技術的範囲を超えない範囲内で、各種の変更と修飾を行うことができる。従って、本考案の保護範囲は、実用新案登録請求の範囲で限定する範囲を基準とする。また、各請求項は独立の実施例を構成し、且つ各請求項及び実施例の組合せはいずれも本考案の範囲内に属する。
【符号の説明】
【００４１】
１００  フレーム、
１１０  頂板、
１１１  第１頂板開口部、
１１２  第２頂板開口部、
１２０  底板、
１３０  側板、
２００  反射シート、
３００  導光板、
３１０  表面、
４００  光学フィルム群、
４１０  第１フィルム開口部、
４２０  第２フィルム開口部、
５００  第１貼付部材、
６００  第２貼付部材、
７００  位置決め部材、
８００  パネル貼付部材、
Ｂ  バックライトモジュール、
Ｄ  表示パネル、
Ｏ１  開口、
Ｏ２  開口、
Ｒ１  第１フィルム凹溝、
Ｒ２  第２フィルム凹溝、
ｓ１  第１側、
ｓ２  第２側。
【図１Ａ】
0003206210.tif 000003
【図１Ｂ】
0003206210.tif 000004
【図２】
0003206210.tif 000005
【図３Ａ】
0003206210.tif 000006
【図３Ｂ】
0003206210.tif 000007
【図４Ａ】
0003206210.tif 000008
【図４Ｂ】
0003206210.tif 000009
【図４Ｃ】
0003206210.tif 000010
【図４Ｄ】
0003206210.tif 000011
【図５Ａ】
0003206210.tif 000012
【図５Ｂ】
0003206210.tif 000013
【図６Ａ】
0003206210.tif 000014
【図６Ｂ】
0003206210.tif 000015
【図６Ｃ】
0003206210.tif 000016
【図７】
0003206210.tif 000017